(57)【要約】【課題】収納ケースの断熱効果を高めて、電気炊飯器使用時における消費電力の低下を図る。【解決手段】被炊飯物を収納する鍋と該鍋を収容する収納ケース及び前記鍋を誘導加熱する誘導加熱コイルを有する炊飯器本体と、本体に開閉自在に載置される蓋体とを備えた電磁誘導加熱炊飯器において、前記収納ケースに、断熱素材を施すことにより断熱性を高め、特別な構造部材を必要とすることなく鍋から放出される熱が外方に放出されるのを抑えて、消費電力の低下を図る。【選択図】  図１
2009297277.tif 000002
【特許請求の範囲】
【請求項１】
被炊飯物を収容する鍋と該鍋を収納する収納ケース及び前記鍋を誘導加熱する誘導加熱コイルを有する炊飯器本体と、本体に開閉自在に装着された蓋体とを備えた電気炊飯器において、前記収納ケースは、断熱性であることを特徴とする電磁誘導加熱炊飯器。
【請求項２】
前記収納ケースは、その表面に断熱粒子が塗装されていることを特徴とする請求項１に記載の電磁誘導加熱炊飯器。
【請求項３】
前記断熱粒子が塗装された前記収納ケースの面は、前記鍋に対向した面であることを特徴とする請求項２に記載の電磁誘導加熱炊飯器。
【請求項４】
前記断熱粒子は、微小中空球粉体であることを特徴とする請求項２または３に記載の電磁誘導加熱炊飯器。
【請求項５】
前記断熱粒子は、粒子径が異なることを特徴とする請求項２から４に記載の電磁誘導加熱炊飯器。
【請求項６】
前記収納ケースは、耐熱性樹脂と断熱粒子を混合して成型したことを特徴とする請求項１に記載の電磁誘導加熱炊飯器。
【請求項７】
前記断熱粒子は、微小中空球粉体であることを特徴とする請求項６に記載の電磁誘導加熱炊飯器。
【請求項８】
前記断熱粒子は、粒子径が異なることを特徴とする請求項６および７に記載の電磁誘導加熱炊飯器。
【発明の詳細な説明】
【技術分野】
【０００１】
本発明は炊飯時または保温時において、鍋の熱を鍋の外側に放熱しにくくし、断熱効果を高めた電磁誘導加熱炊飯器に関するものである。
【背景技術】
【０００２】
最近の電気炊飯器は、電磁誘導コイルで発生するうず電流により米と水とを収納したステンレスとアルミニウムのクラッド材からなる鍋が発熱する誘導加熱式が主流となっている。そして、前記鍋は耐熱合成樹脂製の収納ケース内に収納自在にして設けられており、炊飯終了後には前記電磁誘導コイルによる発熱量を低下して被炊飯物の保温を行っている。
【０００３】
ところが、炊飯、保温何れの状態においても鍋の熱は樹脂性の収納ケースといえども鍋の外方に放熱することから、この放熱を抑えるために、炊飯器本体内の鍋と外側のフレームとの間に仕切板を設けた多重構造体としていた。また、仕切板を有しないものにあっては鍋の外方への放熱分を補うために熱量を増やす必要があり、消費電力を増加させていた。
一方、ヒータによって鍋を加熱する炊飯器においては特許文献１にみられるように、鍋の外側への放熱を抑え断熱状態を高くするようにしている。
【特許文献１】特開２００７−３１３０６５号公報
【発明の開示】
【発明が解決しようとする課題】
【０００４】
上記特許文献１に開示されている炊飯器は、図５に示すように、炊飯器本体２０１が、鍋２０２を加熱する加熱手段２０４と、内部に加熱手段２０４を配置するとともに鍋２０２を着脱自在に収納する保護枠２０３と、保護枠２０３の上方位置に構成した上枠２０６と、開閉自在な蓋２１６とを有し、前記保護枠２０３の外周位置で、保護枠上方の上枠２０６と炊飯器本体２０１を構成するボディ２０８との少なくとも一方に筒状リブ２０７、２０９を設け、炊飯器本体２０１の保護枠外方の空間を多重構造としたものである。
【０００５】
その目的は、本体の保護枠外方の空間を筒状リブにより多重構造にすることによって、鍋及び加熱手段の熱量が外方に放出されるのを抑えて、断熱性を高めることにある。
【０００６】
しかし、本体の保護枠外方の空間を筒状リブにより多重構造にすることから、大きな空間を必要とするため、本体が大きくなってしまい、また部品の形状が複雑になり、成型が難しくなるといった課題があった。
【課題を解決するための手段】
【０００７】
前記課題を解決するために、本発明の請求項１に記載の電磁誘導加熱炊飯器は、被炊飯物を収容する鍋と該鍋を収納する収納ケース及び前記鍋を誘導加熱する誘導加熱コイルを有する炊飯器本体と、本体に開閉自在に装着された蓋体とを備えた電気炊飯器において、前記収納ケースは、断熱性であることを特徴とする。
【０００８】
請求項２の発明は、請求項１に記載の電磁誘導加熱炊飯器において、収納ケースは、その表面に断熱粒子が塗装されていることを特徴とする。
【０００９】
請求項３の発明は、請求項２に記載の電磁誘導加熱炊飯器において、断熱粒子が塗装された収納ケースの面は、鍋に対向した面であることを特徴とする。
【００１０】
請求項４の発明は、請求項２または３に記載の電磁誘導加熱炊飯器において、断熱粒子は、微小中空球粉体であることを特徴とする。
【００１１】
請求項５の発明は、請求項２から４に記載の電磁誘導加熱炊飯器において、前記断熱粒子は、粒子径が異なることを特徴とする。
【００１２】
請求項６の発明は、請求項１に記載の電磁誘導加熱炊飯器において、収納ケースは、耐熱性樹脂と断熱粒子を混合して成型したことを特徴とする。
【００１３】
請求項７の発明は、請求項６に記載の電磁誘導加熱炊飯器において、断熱粒子は、微小中空球粉体であることを特徴とする。
【００１４】
請求項８の発明は、請求項６および７に記載の電磁誘導加熱炊飯器において、断熱粒子は、粒子径が異なることを特徴とする。
【発明の効果】
【００１５】
本発明は、上記構成を備えることにより、以下の優れた効果を奏する。すなわち、請求項１の発明によれば、電磁誘導加熱炊飯器の収納ケースが断熱性であるため、収納ケースの外側への放熱を抑え、簡単に断熱効果を高めて炊飯器の使用時における消費電力の低下を図ることができる。
【００１６】
請求項２の発明によれば、収納ケースの表面に断熱粒子を塗装することにより、収納ケースの表面に少々の凹凸があっても適度な断熱粒子の膜厚が形成され、特に断熱粒子は粒子自体が断熱作用を有するため簡単な処理で断熱効果を高めることができる。
【００１７】
請求項３の発明によれば、収納ケースの鍋に対向する表面に断熱粒子を塗装することにより、収納ケースの外側への放熱を抑え鍋の熱を収納ケースに伝えにくくし、断熱効果を高めることができる。
【００１８】
請求項４の発明によれば、断熱粒子に一粒一粒が中空で中に空気を含む微小中空球粉体を用いることにより、単純な構成で断熱効果を高めることができる。
【００１９】
請求項５の発明によれば、粒子径が異なる断熱粒子を用いることにより、充填率を上げることができ、より断熱効果を高めることができる。
【００２０】
請求項６から８の発明によれば、耐熱性樹脂と断熱粒子を混合して収納ケースを成型することにより、収納ケースの厚み分断熱粒子の含有量を増加させることができるため、この断熱粒子の作用により収納ケースそのものの組成物が断熱材として作用し断熱効果を高める。
【発明を実施するための最良の形態】
【００２１】
以下、図面を参照して本発明の最良の実施形態を説明する。ただし、以下に示す実施形態は、本発明の技術思想を具体化するための電気炊飯器を例示するものであって、本発明をこの電気炊飯器に特定することを意図するものではなく、特許請求の範囲に含まれるその他の実施形態のものも等しく適応し得るものである。
【実施例】
【００２２】
（実施形態１）
図１、図２を参照して本発明の実施形態に係る電磁誘導加熱炊飯器について説明する。
なお、図１は本発明の実施形態１に係る電磁誘導加熱炊飯器の断面図であり、左が正面である。図２は、本発明の実施形態１に係る電気炊飯器の図１のＰ部分の拡大図である。
【００２３】
１は炊飯器本体（以下本体１）で、炊飯を制御する制御部（図示せず）と、炊飯メニューを操作する操作部（図示せず）と、操作された炊飯メニューを表示する表示部（図示せず）が正面側に設けてある。
【００２４】
２は水と米よりなる被炊飯物を収容するアルミニウム、ステンレスのクラッド材よりなる鍋で、本体１に着脱自在に収納される。
【００２５】
３は本体１を覆う開閉自在の蓋体で、一側をヒンジにより本体１に枢着した着脱自在の内蓋３aと、外方を覆う外蓋３bと蓋ヒータ３cとで構成されている。
【００２６】
４は蓋体３の上方に着脱自在に設けられ、炊飯時に発生するおねばを貯留するおねばタンクで、蒸気とおねばとを分離させるために多層構造となっており、噴出口４aからは蒸気のみがでるようになっている。
【００２７】
５は、本体１内に設けた収納ケースで、被炊飯物を収容する鍋２を着脱自在に本体１に収納する。
前記収納ケース５は、側壁上面にある鉄よりなる上ケース５ａと、側壁下面から底壁にかけて設けた耐熱性樹脂からなる下ケース５ｂより構成されている。
【００２８】
下ケース５bの耐熱性樹脂はポリエチレンテレフタレート（ＰＥＴ）で成型されており、その融点は２６０℃である。通常の炊飯で鍋２の温度は１３０℃まで上がり、異常な状態では２００℃まで上がるが、ポリエチレンテレフタレート（ＰＥＴ）の融点には及ばないため、溶けることはなく安全である。
【００２９】
下ケース５bの鍋２側の表面には、断熱粒子を含む塗装１１がされており、３０ミクロンの断熱粒子を０．２％含む５０ミクロンの厚みの塗装１１がなされている。その上には強度を高め、塗装１１を剥離しにくくするために３０ミクロンのクリアトップコート１２を施してある。
【００３０】
断熱粒子は３０から７０ミクロンの大きさの不溶性ガラスでつくられたガラス微小中空球粉体であり、一粒一粒が真球で中は空で空気を封じ込めている。また、組成がガラスであるため、粒子の表面が滑らかで耐熱性樹脂との密着性に優れているとともに、内部に空気を含んでいるので断熱性にも優れている。
６は加熱手段で、鍋２を発熱させる電磁誘導コイル６aと、鍋２を加熱するニクロム線からなる側面ヒータ６bより構成されている。電磁誘導コイル６aは下ケース５bに、側面ヒータ６bは上ケース５ａにそれぞれ取り付けられている。
【００３１】
７は鍋の底面と接触して鍋２の温度を検知する温度センサーである。
【００３２】
炊飯工程中に、絶縁体である樹脂性の収納ケース５に取り付けられている電磁誘導コイル６aに通電することによって発生する磁力線により鍋２にうず電流が発生し、鍋２が発熱する。鍋２で発生した熱は、収納ケース５と鍋２との空隙内の空気を温め、収納ケース側に伝わるが、収納ケース５に施された断熱粒子を含む塗装１１によって熱放出を抑えることができ、炊飯時や保温時の消費電力を低下することができる。
【００３３】
８は圧力弁、９は圧力弁解放機構、圧力弁８及び圧力弁解放機構９は蓋体３に設けられ、圧力弁８は金属性の調圧ボール８aと、台座８b、カバー８cからなり、圧力弁解放機構９は、調圧ボール８aを強制的に移動するソレノイド９aとプランジャー９bより構成されている。
台座８bは中心に孔８dが開けられており、鍋内の加圧時は調圧ボール８aが自重により台座８bの真ん中に収まり、台座８ｂ中心の孔８ｄを塞いで安定するように設計されている。調圧ボール８aが孔８dを塞いでいるときは、鍋２と内蓋３ａとは、内蓋３ａに取り付けられているパッキン１０と調圧ボール８aとで密閉されている。プランジャー９ｂは、制御部により制御されて密閉状態を解除する際に調圧ボール８aを台座８ｂの孔８dの上から押しのける。
（実施形態２）
次に本発明の実施形態２に係る電磁誘導加熱炊飯器について説明する。
図３は本発明の実施形態２に係る電磁誘導加熱炊飯器の部分拡大図であり、実施の形態１と同じものについては同じ符号を付してある。
図３に示すように本発明の実施形態に係る収納ケース５の下ケース５bは、実施形態１に係る下ケース５bと同様に耐熱性樹脂であるポリエチレンテレフタレート（ＰＥＴ）で成型されており、下ケース５bの電磁誘導コイル６a側の表面には、断熱粒子を含む塗装１１が施されている。この塗装は３０ミクロンの断熱粒子を０．２％含む５０ミクロンの厚みの塗装膜によって形成されている。電磁誘導コイル６a側の表面に断熱粒子を含む塗装１１をする本実施例の場合、ユーザーが直接触れる場所ではないため、クリアトップコートは不要となる。
塗装１１に含まれる断熱粒子は実施形態１と同様に不溶性ガラスでつくられたガラス微小中空球粉体であり、一粒一粒が真球で中は空で空気を封じ込めている。また、組成がガラスであるため、粒子の表面が滑らかで耐熱性樹脂との密着性に優れているとともに、内部に空気を含んでいるので断熱性にも優れている。また、収納ケース５の電磁誘導コイル側の表面に断熱粒子を含む塗装１１をすることによって、外気温を収納ケース５や鍋２に伝えにくくし、冬季のような外気温が低いときでも外気温の影響を受けにくくなる。
（実施形態３）
図４を参照して本発明の実施形態に係る電気炊飯器について説明する。
なお、図４は本発明の実施形態に係る電気炊飯器の断面図であり実施形態１と同じものについては同じ符号を付してある。
図４に示すように本発明の実施形態に係る収納ケース５の下ケース５bは、実施形態１に係る下ケース５bと同様の耐熱性樹脂であるポリエチレンテレフタレート（ＰＥＴ）と３０ミクロンの断熱粒子を０．２％混合させて成型する。
下ケース５b自体に断熱粒子を混合することで、断熱粒子の含まれる厚みが下ケース５bの厚みの分あるため、塗装１１する場合より段熱粒子の含有量を増加させることができ、より断熱効果を高めることができる。
【００３４】
なお、実施形態は、本発明の技術思想を具体化するための電気炊飯器を例示するものであり、上記特許請求の範囲に含まれるその他の実施形態のものも等しく適応し得るものである。
【図面の簡単な説明】
【００３５】
【図１】図１は本発明の実施形態１に係る電磁誘導加熱炊飯器の縦断面図である。
【図２】図２は本発明の実施形態１に係る電磁誘導加熱炊飯器の図１のＰ部分の拡大図である。
【図３】図３は本発明の実施形態２に係る電磁誘導加熱炊飯器の部分拡大図である。
【図４】図４は本発明の実施形態３に係る電磁誘導加熱炊飯器の縦断面図である。
【図５】図５は従来の電気炊飯器の縦断面図である。
【符号の説明】
【００３６】
１：炊飯器本体（本体）
２：鍋
３：蓋体
３a：内蓋
３b：外蓋
３c：蓋ヒータ
４：おねばタンク
４a：噴出口
５：収納ケース
５a：上ケース
５b：下ケース
６：加熱手段
６a：電磁誘導コイル
６b：側面ヒータ
７：温度センサー
８：圧力弁
８a：調圧ボール
８b：台座
８c：カバー
８d：孔
９：圧力弁解放機構
９a：ソレノイド
９b：プランジャー
１０： パッキン
１１：塗装
１２：トップコート
【図１】
2009297277.tif 000003
【図２】
2009297277.tif 000004
【図３】
2009297277.tif 000005
【図４】
2009297277.tif 000006
【図５】
2009297277.tif 000007